(57)【要約】      （修正有）【課題】包装袋の開封に際して開封片が分離せず、片手で包装袋を保持した状態で確実かつ容易に開封することができる、開封性の優れる易開封性包装袋、易開封性包装袋の製造方法及び易開封性包装体を提供する。【解決手段】外側からイージーピール性調整層、支持基材層、シーラント層を備えた積層フィルムの二箇所を折り返して両側縁部の外面側と内面側を対向させて重ね合わせヒートシールして形成されたイージーピール部３と端縁のヒートシール部４とを備え、重ね合わせ部２の下面フィルム１５の折返し部を所定の位置で切り落として形成された開口部８とを備えてなる易開封性包装袋１。【選択図】図２
2013052919.tif 000002
【特許請求の範囲】
【請求項１】
支持基材層と、
当該支持基材層の内面側に積層されたシーラント層と、
当該支持基材層の外面側に積層された当該シーラント層とヒートシールすることによりイージーピール性を調整する層とを備えた積層フィルムからなる包装袋であって、
当該積層フィルムの二箇所を折り返して両側端部の外面側と内面側を対向させて重ね合わせ、当該重ね合わせ部の上面側の側端部を除いてヒートシールして形成されたイージーピール部と、
当該イージーピール部を形成して筒状となった筒状体の両端部の開口部に形成された端縁のヒートシール部と、
当該積層フィルムの二箇所の折り返し部のうち、当該重ね合わせ部の下面側の積層フィルムの折り返し部を所定の位置で切り落として形成された開口部とを備えてなることを特徴とする易開封性包装袋。
【請求項２】
請求項１に記載する易開封性包装袋に、その開口部から内容物を充填し、その開口部の内面層同士をヒートシールして密封してなることを特徴とする易開封性包装体。
【請求項３】
支持基材層と当該支持基材層の内面側にシーラント層を積層し、当該支持基材層の外面側に当該シーラント層とヒートシールすることによりイージーピール性を調整する層を積層して積層シートを形成する工程と、
当該積層シートの二箇所を折り返す工程と、
当該積層シートの両側端部の外面側と内面側を対向させて重ね合わせ、当該重ね合わせ部の上面側の側端部を除いて連続してヒートシールしてイージピール部を形成し、筒状体を形成する工程と、
当該筒状体を当該イージピール部のヒートシール方向に対して垂直方向に、かつ一定間隔をおいて、ヒートシールしてヒートシール部を形成する工程と、
当該積層シートの二箇所の折り返し部のうち、当該重ね合わせ部の下面側の積層フィルムの折り返し部を所定の位置で切り落として開口部を形成する工程と、
当該ヒートシール部におけるシール巾方向の中間部でそれぞれを切断する工程とを含むことを特徴とする易開封性包装袋の製造方法。
【発明の詳細な説明】
【技術分野】
【０００１】
本発明は、食品、医薬品、器具等の各種物品を収納するための易開封性包装袋、易開封性包装袋の製造方法及び易開封性包装体に関する。
【背景技術】
【０００２】
従来の易開封性包装袋は、表面層である二軸延伸ポリエチレンテレフタレートフィルム層や中間支持層である二軸延伸ナイロン層に、積層フィルムの作製前にレーザー光線を照射して加熱することによりミシン目形状等のハーフカット線形状の切り込み等を予め入れておく易カット性積層フィルム包材があるが（特許文献１）、ヒートシール部に形成された切欠部（ノッチ）から袋の一部を切り取って開封した場合、切り取りによってゴミが二つに増えるという問題があった。
また、基材層と易剥離性シーラント層とがラミネートされた積層フィルムにおいて、易剥離性シーラント層を内側にしてその両側縁部を重ね合わせ、重ね合わせ部分の端縁部を溶着してイージーピール部を形成した易開封性包装袋があるが（特許文献２）、内容物を取り出す際、イージーピール部の引き剥がし部の両方を互いに開く方法に引っ張ることにより開封するため、両手を使って開封しなければならず、片手で包装袋を保持した状態でもう片方の手で容易に開封することができないという問題があった。
【先行技術文献】
【特許文献】
【０００３】
【特許文献１】特開平１１−７７８７２
【特許文献２】特開平１１−１３０１４５
【発明の概要】
【発明が解決しようとする課題】
【０００４】
本発明は、包装袋の開封に際して開封片が分離せず、片手で包装袋を保持した状態で確実かつ容易に開封することができる、開封性の優れる易開封性包装袋、易開封性包装袋の製造方法及び易開封性包装体の提供を課題とする。
【課題を解決するための手段】
【０００５】
上記のような問題点を解決すべく種々研究を重ねた結果、本発明は、
支持基材層と、
当該支持基材層の内面側に積層されたシーラント層と、
当該支持基材層の外面側に積層された当該シーラント層とヒートシールすることによりイージーピール性を調整する層とを備えた積層フィルムからなる包装袋であって、
当該積層フィルムの二箇所を折り返して両側端部の外面側と内面側を対向させて重ね合わせ、当該重ね合わせ部の上面側の側端部を除いてヒートシールして形成されたイージーピール部と、
当該イージーピール部を形成して筒状となった筒状体の両端部の開口部に形成された端縁のヒートシール部と、
当該積層フィルムの二箇所の折り返し部のうち、当該重ね合わせ部の下面側の積層フィルムの折り返し部を所定の位置で切り落として形成された開口部とを備えてなることを特徴とする。
【０００６】
また、本発明の包装体は、上記の易開封性包装袋に、その開口部から内容物を充填し、その開口部の内面層同士をヒートシールして密封してなることを特徴とする。
【０００７】
また、本発明の易開封性包装袋の製造方法は、
支持基材層と当該支持基材層の内面側にシーラント層を積層し、当該支持基材層の外面側に当該シーラント層とヒートシールすることによりイージーピール性を調整する層を積層して積層シートを形成する工程と、
当該積層シートの二箇所を折り返す工程と、
当該積層シートの両側端部の外面側と内面側を対向させて重ね合わせ、当該重ね合わせ部の上面側の側端部を除いて連続してヒートシールしてイージピール部を形成し、筒状体を形成する工程と、
当該筒状体を当該イージピール部のヒートシール方向に対して垂直方向に、かつ一定間隔をおいて、ヒートシールしてヒートシール部を形成する工程と、
当該積層シートの二箇所の折り返し部のうち、当該重ね合わせ部の下面側の積層フィルムの折り返し部を所定の位置で切り落として開口部を形成する工程と、
当該ヒートシール部におけるシール巾方向の中間部でそれぞれを切断する工程とを含むことを特徴とする易開封性包装袋の製造方法。
【発明の効果】
【０００８】
本発明の易開封性包装袋は、内容物を充填した状態で開口部を密封して包装体とし、これを開封する際、片手で包装袋の上から内容物を把持した状態で、もう一方の手で摘み代を摘みやすく、イージーピール部から引き剥がすことにより内容物を落下させず、容易かつ確実に開封することができ、また、開封片が分離しないため、衛生的で、環境にも配慮されたものである。
また、本発明の易開封性包装袋は、一般的なピロー袋製袋機を用いて製造することができるので、効率良く生産することが可能である。
【図面の簡単な説明】
【０００９】
【図１】本発明に係る易開封性包装袋を構成する積層フィルム１０の概略断面図である。
【図２】本発明に係る易開封性包装袋１の第１実施例を示す概略平面図である。
【図３】図２におけるＡ−Ａ間の概略断面図である。
【図４】本発明に係る易開封性包装袋１の第２実施例を示す概略平面図である。
【図５】図４におけるＢ−Ｂ間の概略断面図である。
【図６】本発明に係る易開封性包装袋１の第３実施例を示す概略平面図である。
【図７】本発明に係る易開封性包装袋１の第４実施例を示す概略断面図である。
【図８】本発明に係る易開封性包装袋１の使用例を示す概略断面図であり、（ａ）開口部形成前、（ｂ）開口部形成後、（ｃ）内容物充填後、（ｄ）開封後の説明図である。
【図９】本発明に係る易開封性包装袋１の製造方法を示す概略側面図である。
【図１０】図９における概略平面図である。
【発明を実施するための形態】
【００１０】
上記の本発明について、図面等を用いて以下に詳しく説明する。
図１に、本発明に係る易開封性包装袋を構成する積層フィルム１０の一例を示す。図１に示される積層フィルム１０は、支持基材層１２の内面側にシーラント層１３を積層し、支持基材層１２の外面側にシーラント層１３とヒートシールすることによりイージーピール性を調整する層１１を積層する層構成からなる。
【００１１】
（基材フィルム）
次に、図１に示される本発明に係る易開封性包装袋を構成する積層フィルム１０について説明する。
本発明に係る積層フィルム１０を構成する支持基材層１２は、シーラント層１３より軟化温度が高い層であって強度に優れれば特に制限されず、例えば、ポリエチレンテレフタレイト等のポリエステル系樹脂フィルム、各種ナイロン等のポリアミド系樹脂フィルム、ポリエチレン系樹脂、ポリプロピレン系樹脂、環状ポリオレフィン樹脂、ポリスチレン系樹脂、アクリロニトリル−スチレン共重合体（ＡＳ樹脂）、アクリロニトリル−ブタジエン−スチレン共重合体（ＡＢＳ樹脂）、ポリブデン樹脂フィルム等のポリオレフィンフィルム、ポリ塩化ビニル系樹脂、ポリカーボネート系樹脂、ポリイミド系樹脂、ポリアミドイミド系樹脂、ポリアリールフタレイト樹脂、シリコーン系樹脂、ポリスルホン系樹脂、ポリフェニレンスルフィド系樹脂、ポリエーテルスルホン系樹脂、ポリウレタン系樹脂、セルロース系樹脂、ポリ（メタ）アクリル系樹脂、ポリ塩化ビニリデンフィルム、アセタール系樹脂フィルム、フッ素系樹脂、その他等を使用することができる。
なお、本発明においては、特に、ポリプロピレン系樹脂、ポリエステル系樹脂、または、ポリアミド系樹脂のフィルムないしシートを使用することが好ましい。
上記フィルムは、未延伸フィルムもしくは延伸加工を施したフィルムを使用することができるが、二軸延伸加工を施すことにより、耐熱性、耐衝撃性が向上するので好ましい。
上記のフィルムないしシートの厚さとしては、任意であるが、通常、５〜３００μｍ位が好ましく、１０μｍ〜１００μｍ位が望ましい。
上記以外の支持基材層１２としては、紙、不織布、金属箔等を単体で、あるいは、二種以上の支持基材層と組み合わせてなる複合支持基材層とすることもできる。
また、支持基材層１２には、表面または裏面に印刷層を形成することができる。
かかる印刷絵柄層は、例えば、通常のインキ組成物を使用してオフセット印刷あるいはグラビア印刷、フレキソ印刷、凸版印刷、シルクスクリーン印刷、その他等の通常の印刷法等によって形成することができる。印刷インキの塗布量は、塗布後の乾燥状態で１μｍ〜８μｍ位が好ましい。
【００１２】
（バリア層）
本発明に係る積層フィルム１０を構成するバリア層は、必要に応じて設ければよく、酸素ガス、水蒸気の透過を遮断する機能を備え、印刷インキや接着剤等の移行成分を遮断する機能を備えるものであれば特に限定されず、例えば、アルミニウム箔、金属アルミニウムの蒸着膜を有する樹脂のフィルム、ポリ塩化ビニリデン系樹脂のフィルム、ポリ塩化ビニリデン系樹脂やポリビニルアルコールを主成分とする組成物をコ−ティングした樹脂のフィルム、延伸ポリアミド系樹脂のフィルム、エチレン−酢酸ビニル共重合体ケン化物のフィルム、ポリアクリロニトリルフィルム、酸化珪素、酸化アルミニウム等の金属酸化物の蒸着膜を有する樹脂のフィルム等を使用することができる。
上記において、金属、及び、無機酸化物の蒸着膜の膜厚としては、厚さ５０Å〜３０００Å位のものを使用することが好ましく、１００〜１０００Å位のものが望ましい。
本発明において、上記のバリア性を付与する蒸着層を支持する樹脂のフィルムとしては、上記の支持基材層に用いる樹脂フィルムを使用することができる。
【００１３】
（シーラント層）
本発明に係る積層フィルム１０を構成するシーラント層１３としては、熱によって相互に融着し得る樹脂からなる層であれば、特に限定されず、例えば、低密度ポリエチレン樹脂、中密度ポリエチレン樹脂、高密度ポリエチレン樹脂、直鎖状低密度ポリエチレン樹脂、メタロセン触媒を利用して重合したエチレン・αオレフィンとの共重合体樹脂、エチレン・ポリプロピレンのランダムもしくはブロック共重合体樹脂、ポリプロピレン樹脂、エチレン・酢酸ビニル共重合体樹脂、エチレン・アクリル酸共重合体樹脂、エチレン・アクリル酸エチル共重合体樹脂、エチレン・メタクリル酸共重合体樹脂、エチレン・メタクリル酸メチル共重合体樹脂、アイオノマー樹脂、ヒートシール性エチレン・ビニルアルコール樹脂、または、共重合した樹脂メチルペンテン系樹脂、ポリブテン系樹脂、環状オレフィンコポリマー等のポリオレフィン系樹脂、ポリ塩化ビニル系樹脂、その他等のフィルムないしシ−ト、あるいはそのコ−ティング膜等を使用することができる。
また、その厚さとしては２μｍ〜１００μｍ位が好ましく、５μｍ〜７０μｍ位がより
好ましい。
【００１４】
（イージーピール性調整層層）
本発明に係る積層フィルム１０を構成する外層１１としては、内層であるシーラント層１３とヒートシールすることによりイージーピール性を有する層であれば、特に限定されない。外層１１と内層１３を対向して重ね合わせ、ヒートシールすることにより、そのイージーピール性のシール部３のシールが容易に剥離して開封し、極めて簡単に内容物を取り出すことができるものである。
例えば、イージーピール性調整層は、上記で挙げたシーラント層を構成する材料、例えば、低密度ポリエチレン、中密度ポリエチレン、高密度ポリエチレン、直鎖状低密度ポリエチレン、ポリプロピレン、エチレン−プロピレン共重合体、エチレン−酢酸ビニル共重合体、アイオノマー樹脂、ヒートシール性エチレン・ビニルアルコール樹脂、エチレン−アクリル酸エチル共重合体、エチレン−アクリル酸共重合体、メチルペンテン系樹脂、ポリブテン系樹脂、環状オレフィンコポリマー等のポリオレフィン系樹脂、ポリ塩化ビニル系樹脂、その他等のフィルムないしシ−ト、あるいはそのコ−ティング膜等を使用し、シール層間の界面剥離性を利用する方法、シ−ル層の材料破壊剥離性を利用する方法、シ−ル層に極力薄い層を設ける方法等によって、イージーピール性を調整して用いることができる。
具体的には、内層１３としては、ポリプロピレン、ポリエチレンとポリプロピレンとのブレンドポリマ−もしくはエチレン−プロピレン共重合体等からなるポリプロピレンを主成分とする材料で構成し、外層１１として、ポリエチレン、エチレン−酢酸ビニル共重合体等からなるポリエチレンを主成分とする材料で構成し、その両者の組み合わせでイージーピール性のシ−ル部３を形成することができる。
その他の具体例として、外層１１としては、不織布、紙を用い、内層１３として、これとイージーピール性を有するフィルム（製品名「７６０１ＥＤ」、東レフィルム加工株式会社製等）を組み合わせて用いることもできる。不織布の繊維としては、例えば、綿、レ−ヨン、アセテ−ト、ポリアミド系繊維、ポリエステル系繊維、ポリプロピレン系繊維、ポリエチレン系繊維、ポリアクリロニトリル系繊維、ポリビニルアルコ−ル系繊維、ポリウレタン系繊維、その他等を単独または混合して使用することができる。厚さとしては坪量が２０ｇ／ｍ2〜４０ｇ／ｍ2のものが好ましい。
また、外層と内層との接着面には、その面同士の接着を阻害する樹脂層等を全面または部分的にパターン状に形成することができる。離型剤には、シリコーン樹脂、ポリエチレンワックス、大豆レシチン、高級脂肪酸アマイドなどを使用することができる。その塗布する場合、その厚みは薄くてよく０．３〜２μｍ程度が好ましい。また、上記において、部分的に設ける場合、設けてない部分をポイントシールすることもできる。
外層１１と内層１３のイージーピール部３のシール強度では１０Ｎ／１５ｍｍ〜３０Ｎ／１５ｍｍ位が好ましい。上記のシール強度の範囲であれば、片手で摘んで容易に引き剥がすことができる。シール強度が１０Ｎ／１５ｍｍ未満であると、包装体の移送中等に剥がれてしまう恐れがあるため好ましくない。また、シール強度が３０Ｎ／１５ｍｍを超えると、摘み代を片手で摘んで引き剥がしにくくなるため、好ましくない。
なお、シール強度は、ＪＩＳＫ６８５４−３（接着剤のはく離接着強さ試験方法：Ｔ形剥離法）に準拠し、引張り速度３００ｍｍ／分で測定した値である。
なお、内層１３同士のシール部は、イージーピールでも完全シールでもよいが、内容物によっては、完全シールとする方が、内容物の密封性に優れ、包装体を移送中に破袋しにくくなるため好ましい。
【００１５】
次に、上記の本発明において、上記のような材料を使用して支持基材層１２と外層１１、内層１３、またはバリア層とをラミネートする方法としては、例えば、ウエットラミネーション法、ドライラミネーション法、無溶剤型ドライラミネーション法、押し出しラミネーション法、Ｔダイ押し出し成形法、共押し出しラミネーション法、インフレーション法、共押し出しインフレーション法、その他等で行うことができる。
そして、本発明においては、上記の積層を行う際に、必要ならば、例えば、コロナ処理、オゾン処理、フレーム処理、その他等の前処理をフィルムに施すことができる。
中でも、本発明において、ドライラミネーション法が、接着強度に優れ、より好ましい
ものである。
【００１６】
（接着層）
支持基材層１２と外層１１、内層１３、またはバリア層とをラミネートする接着層において、ラミネート用接着剤としては、例えば、１液、あるいは２液型の硬化ないし非硬化タイプのビニル系、（メタ）アクリル系、ポリアミド系、ポリエステル系、ポリエーテル系、ポリウレタン系、エポキシ系、ゴム系、その他等の溶剤型、水性型、あるいは、エマルジョン型等のラミネート用接着剤を使用することができる。
上記のラミネート用接着剤のコーティング方法としては、例えば、ダイレクトグラビアロールコート法、グラビアロールコート法、キスコート法、リバースロールコート法、フォンテン法、トランスファーロールコート法、その他の方法で塗布することができる。
その塗布量としては、０．１ｇ／ｍ2〜１０ｇ／ｍ2（乾燥状態）位が好ましく、１ｇ／ｍ2〜５ｇ／ｍ2（乾燥状態）位がより好ましい。
【００１７】
図２に、本発明に係る易開封性包装袋１における第１実施例の概略平面図を示し、図３に、図２におけるＡ−Ａ間の概略断面図を示す。図２、図３に示される易開封性包装袋１は、積層フィルムの二箇所をシーラント層が内側になるように折り返して、上面フィルム１４の内面側（シーラント層）と下面フィルム１５の外面側（イージーピール性調整層）を対向させて側端部同士を略中央で重ね合わせ、重ね合わせ部２の上面フィルム１５側の摘み代６を残して直線状にヒートシールしてイージーピール部３を形成させて筒状体とし、更に、その筒状体のそれぞれの開口部の端部をヒートシールして端縁シール部４を形成し、更に、下面フィルム１４側の折り返し部を所定の位置で切り落として開口部８を形成させたものである。
本発明に係る易開封性包装袋１は、上面フィルム１４と下面フィルム１５との重ね合わせ部２に形成された縦シール部３がイージーピール性であるため、摘み片６から片手で引き剥がして容易に内容物を取り出すことができる。
内層同士が完全シール部である場合、重ね合わせ部２以外の端縁シール部４を剥離しにくくなるため、比較的小さな内容物を少しずつ取り出すことができる。
内層同士もイージーピール性である場合、重ね合わせ部２以外の端縁シール部４を容易に剥離できるため、開口８を広くとることができ、大きな内容物でも容易に取り出すことができる。
【００１８】
図４に、本発明に係る易開封性包装袋１における第２実施例の概略平面図を示し、図５に、図４におけるＢ−Ｂ間の概略断面図を示す。図４、図５に示される易開封性包装袋１は、積層フィルムの二箇所をシーラント層が内側になるように折り返して、上面フィルム１４の内面側（シーラント層）と下面フィルム１５の外面側（イージーピール性調整層）を対向させて端部同士を上面フィルム１４側の折り返し部７ａの近傍で重ね合わせ、重ね合わせ部２の上面フィルム１５側の摘み代６を残して直線状にヒートシールしてイージーピール部３を形成させて筒状体とし、更に、その筒状体のそれぞれの開口部の端部をヒートシールして端縁シール部４を形成し、更に、下面フィルム１４側の折り返し部を所定の位置で切り落として開口部８を形成させたものである。
図４、図５に示される本発明に係る易開封性包装袋１は、内層同士のシール部が、完全シールとイージーピール性のいずれであっても袋と同じ程度の大きさの内容物であっても、上面フィルム１４と下面フィルム１５との重ね合わせ部２に形成された縦シール部３と横シール部４ａがイージーピール性であるため、摘み片６から片手で引き剥がして容易に取り出すことができる。
【００１９】
図６に、本発明に係る易開封性包装袋１における第３実施例の概略平面図を示す。図６に示される易開封性包装袋１は、積層フィルムの二箇所をシーラント層が内側になるように折り返して、上面フィルム１４の内面側（シーラント層）と下面フィルム１５の外面側（イージーピール性調整層）を対向させて端部同士を略中央で重ね合わせ、重ね合わせ部２の上面フィルム１５側の摘み代６を残して、イージーピール部３のシール形状を摘み代６に向けて凸状にヒートシールしてイージーピール部３を形成させて筒状体とし、更に、その筒状体のそれぞれの開口部の端部をヒートシールして端縁シール部４を形成し、更に、下面フィルム１４側の折り返し部を所定の位置で切り落として開口部８を形成させたものである。
本発明に係る易開封性包装袋１は、イージーピール部３のシール形状を直線状以外に摘み代６に向けて凸状とすることで、剥離開始点から容易に引き剥がすことができる。シール形状としては、例えば、円弧状、波形状、鋭角状等のシール部が挙げられ、単数または複数本、イージーピール部３を形成することで、剥離強度を調整することができる。
また、イージーピール部３シール幅を調整して、適切な剥離強度とすることもできる。具体的には、シール幅を１ｍｍ〜１０ｍｍ程度とすることが好ましく、３〜７ｍｍ程度がより好ましい。
【００２０】
図７に、本発明に係る易開封性包装袋１における第４実施例の概略平面図を示す。図７に示される易開封性包装袋１は、積層フィルムの二箇所をシーラント層が内側になるように折り返して、上面フィルム１４の内面側（シーラント層）と下面フィルム１５の外面側（イージーピール性調整層）を対向させて端部同士を略中央で重ね合わせ、重ね合わせ部２の上面フィルム１５側の摘み代６を残して、直線状にヒートシールしてイージーピール部３を形成させて筒状体とし、上面フィルム１５側の折り返し部をＶ字形状に折り込まれたガセット状折り込み部９を形成し、更に、その筒状体のそれぞれの開口部の端部をヒートシールして端縁シール部４を形成し、更に、下面フィルム１４側の折り返し部を所定の位置で切り落として開口部８を形成させたものである。
図７に示される本発明に係る易開封性包装袋１は、ガセット状折り込み部９を形成袋の底部に自立性を持たせることができる。
なお、以上述べた各構成は、本発明の趣旨を逸脱しない限り、互いに組み合わせることができる。
【００２１】
図８に、本発明に係る易開封性包装袋１の使用例を示し、図８（ａ）は、開口部８の形成前の説明図、図８（ｂ）は、開口部８の形成後の説明図、図８（ｃ）は、内容物の充填後の説明図、図８（ｄ）開封後の説明図をそれぞれ示す。
図８（ａ）に示すように、まず、積層シートの二箇所を折り曲げ、積層シートの両側縁部の上面フィルム１４の内面側（シーラント層）と下面フィルム１５の外面側（イージーピール性調整層）を対向させて重ね合わせ、重ね合わせ部２の上面側の摘み代６を残して、ヒートシールしてイージーピール部３を形成し、筒状体を形成し、更に、当該筒状体をイージーピール部３のヒートシール方向に対して垂直方向に両端部をヒートシールしてヒートシール部を形成する。
次に、図８（ｂ）に示すように、二箇所の折り返し部７ａ、７ｂのうち、重ね合わせ部３の下面フィルム１５の折り返し部７ｂを所定の位置で切り落として開口部８を形成し、形成された開口部８より、内容物Ｍを充填する。
次に、図８（ｃ）に示すように、開口部８の内面層同士をヒートシールして密封して本発明に係る易開封性包装体２０が製造される。
また、図８（ｄ）に示すように、本発明に係る易開封性包装体２０を開封する際、摘み代６を摘み、イージーピール部３から容易に引き剥がすことにより内容物を取り出すことができるものである。また、ノッチを設けずに開封できるため、開封片が分離しないため、衛生的で、環境にも配慮されたものである。
【００２２】
図９に、本発明に係る易開封性包装袋１の製造方法の概略側面図を示し、図１０に、図９における概略平面図を示す。
本発明に係る易開封性包装袋１の製造方法の一実施形態は、図９、図１０に示されるようなピロータイプの包装袋の製袋機を用い、次に説明する各工程により、易開封性包装袋１を連続的に製造する。
【００２３】
図９、図１０は、本発明に係る積層シート１０の巻き取りロールから積層シート１０を繰り出され、筒状に湾曲されて、両側縁部の上面フィルム１４の内面側（シーラント層）と下面フィルム１５の外面側（イージーピール性調整層）を対向させて重ね合わされて重ね合わせ部を形成する。次いで、この重ね合わせ部が縦シール機２２を通る間にヒートシールされてイージーピール部３が形成されて連続した筒状体を形成する。
次いで、第１横シール機２３および第２横シール機２４を閉じて、筒状体を熱溶着することにより、横シール部４を形成して分離前の包装袋を製造する。
化粧裁ち刃２５を閉じて分離前の包装袋の下面フィルム１４側の折り返し部７ｂをカットし、開口部８を形成する。
次いで、断裁刃２６を閉じて分離前の包装袋の横シール部４のシール巾方向の中間部を二分割して包装袋１を製造する。
なお、本発明において、縦シール機２２、第１横シール機２３および第２横シール機２４は、それぞれ独立してヒートシール条件を設定することができる。
【実施例１】
【００２４】
以下に実施例及び比較例を示して本発明をより詳しく説明する。但し、本発明は実施例に限定されない。
（積層フィルム１０）
本発明に係る支持基材層１２として、厚み１２μｍのポリエチレンテレフタレイトフィルム（製品名「Ｅ５２０２」、東洋紡績株式会社製）を用い、外層１１として、厚み３０μｍの未延伸ポリエチレンフィルム（製品名「Ｌ４１０２」、東洋紡績株式会社製）を用い、内層１３として、厚み３０μｍの面々イージーピール兼用ポリエチレンフィルム用イージーピールシーラント（製品名「７６０１ＥＡ」、東レフィルム加工株式会社製）を準備し、接着剤として、２液硬化型ウレタン樹脂系接着剤を介してドライラミネーターで貼り合わせて積層し、エージング実施後、スリッターで所望の幅にスリットし、層構成、未延伸ポリエチレンフィルム（３０μｍ）／２液硬化型ウレタン樹脂系接着剤層／ポリエチレンテレフタレイトフィルム（１２μｍ）／２液硬化型ウレタン樹脂系接着剤層／面々イージーピール兼用ポリエチレンフィルム用イージーピールシーラント（３０μｍ）の本発明に係る積層フィルム１０を製造した。
（易開封性包装袋１）
上記で得られた積層フィルム１０の巻き取りロールをピロータイプ包装袋の製袋機にセットし、積層シート１０の巻き取りロールから積層シート１０を繰り出し、筒状に湾曲させて、両側縁部のうち、上面フィルム１４のシーラント面と下面フィルム１５の外層側を対向させて重ね合わされて重ね合わせ部２を形成し、次いで、この重ね合わせ部２が縦シール機２２を通る間にヒートシールされて直線状のイージーピール部３を形成し、連続した筒状体を形成した。
次いで、第１横シール機２３および第２横シール機２４を閉じて、筒状体を熱溶着することにより、横シール部４を形成して分離前の包装袋を製造した。
次いで、化粧裁ち刃２５を閉じて分離前の包装袋の下面フィルム１４側の折り返し部７ｂをカットし、開口部８を形成した。
次いで、断裁刃２６を閉じて分離前の包装袋の横シール部４の中間部を二分割して、図２に示すような本発明に係る易開封性包装袋１を製造した。
得られた易開封性包装袋１は、幅１２０ｍｍ、長さ１８０ｍｍ、重ね合わせ長さ３０ｍｍ、上面フィルムの折り返し部７ａの先端から開口部８までの長さ１００ｍｍ、端縁シール部４のシール幅５ｍｍ、重ね合わせ部のシール幅５ｍｍ、摘み代６の長さ１５ｍｍであった。イージーピール部３のシール強度は、１１Ｎ／１５ｍｍであった。
得られた易開封性包装袋１は、内層１３が面々イージーピール性を有するため、端縁シール部４が全てイージーピール性を有すると共に、外層１１が、内層（シーラント層１３）とヒートシールすることによりイージーピール性を有するため、重ね合わせ部２においてもイージーピール部３を有し、内容物を容易に取り出しやすい包装袋であった。
（易開封性包装体２０）
得られた本発明に係る易開封性包装袋１の開口部８から容量３０ｍｌの使い捨て注射器１本を収納し、インパルスシーラーを用いて開口部８をヒートシールして幅５ｍｍの密封シール部５を設け、本発明に係る易開封性包装体２０を得た。
上記で得られた易開封性包装体２０に照射線量１０ｋＧｙのγ線滅菌を施した。
上記で得られた滅菌済の易開封性包装体２０の密封シール部５を上にした状態で、包装体２０の外側から注射器を左手で把持し、右手の親指と人差し指で摘み代６を摘んでイージーピール部３から剥離すると共に、上面フィルム側の折り返し部７ａまで端縁シール部４を剥離し、開封片を生じさせることなく、注射器を落下させることなく、作業者が内容物に直接触れることなく容易に開封することができた。更に、作業者が開封した状態で内容物に触れること無く、他の人に注射器を手渡すことができるため、滅菌済手術器具の入った包装体を看護士が開封し、医師に渡す場合等で衛生面においても優れた効果を発揮できることが分かった。
【実施例２】
【００２５】
（易開封性包装袋１）
実施例１で製造した積層フィルム１０を巻き返し機で表裏逆に巻き直し、層構成、面々イージーピール兼用ポリエチレンフィルム用イージーピールシーラント（３０μｍ）／２液硬化型ウレタン樹脂系接着剤層／ポリエチレンテレフタレイトフィルム（１２μｍ）／２液硬化型ウレタン樹脂系接着剤層／未延伸ポリエチレンフィルム（３０μｍ）の積層フィルム１０の巻き取りロールを用い、これをピロータイプ包装袋の製袋機にセットし、巻き取りロールから積層シート１０を繰り出し、筒状に湾曲させて、両側縁部のうち、上面フィルム１４のシーラント面と下面フィルム１５の外層側を対向させて重ね合わされて重ね合わせ部２を形成し、次いで、この重ね合わせ部２が縦シール機２２を通る間にヒートシールされて直線状のイージーピール部３を形成し、連続した筒状体を形成した。
次いで、第１横シール機２３および第２横シール機２４を閉じて、筒状体を熱溶着することにより、横シール部４を形成して分離前の包装袋を製造した。
次いで、化粧裁ち刃２５を閉じて分離前の包装袋の下面フィルム１４側の折り返し部７ｂをカットし、開口部８を形成した。
次いで、断裁刃２６を閉じて分離前の包装袋の横シール部４の中間部を二分割して、図２に示すような本発明に係る易開封性包装袋１を製造した。イージーピール部３のシール強度は、１１Ｎ／１５ｍｍであった。
得られた易開封性包装袋１は、内層１３が完全シール性を有するため、重ね合わせ部２以外の端縁シール部４が全て完全シールとなり、また、外層１１が、内層（シーラント層１３）とヒートシールすることにより重ね合わせ部２における端縁シール部４とイージーピール部３とがイージーピール性を有するので、内容物を少しずつ取り出すことができる包装袋であった。
（易開封性包装体２０）
得られた本発明に係る易開封性包装袋１の開口部８から直径約２０ｍｍの綿球、２０個を収納し、インパルスシーラーを用いて開口部８をヒートシールして幅５ｍｍの密封シール部５を設け、本発明に係る易開封性包装体２０を得た。
上記で得られた易開封性包装体２０に照射線量１０ｋＧｙのγ線滅菌を施した。
上記で得られた滅菌済の易開封性包装体２０の密封シール部５を上にした状態で、包装体２０の外側から注射器を左手で把持し、右手の親指と人差し指で摘み代６を摘んでイージーピール部３と重ね合わせ部２の端縁シール部４を剥離することにより、開封片を生じさせることなく、綿球を落下させることなく、確実かつ容易に取り出することができた。
また、実施例２に係る易開封性包装袋１は、重ね合わせ部２以外の端縁シール部４が全て完全シールであるため、金属製品等の重い内容物に対しても端縁シール部から破袋しにくく、包装袋として適しているものであった。
【実施例３】
【００２６】
（積層フィルム１０）
本発明に係る支持基材層１２として、厚み１２μｍのアルミナ蒸着ポリエチレンテレフタレイトフィルム（製品名「ＩＢ―ＰＥＴ−ＰＷＣ」、大日本印刷株式会社製）の蒸着面側に、二液硬化型ウレタン樹脂系接着剤を介して、厚み１５μｍのポリアミドフィルム（製品名「Ｎ１２０２」、東洋紡績株式会社製）をドライラミネーターで貼り合わせて積層した積層フィルムを用い、外層１１として、厚み５０μｍの未延伸ポリプロピレンフィルム（製品名「Ｐ１１４７」、東洋紡績株式会社製）を用い、内層１３として、厚み３０μｍの面々イージーピール兼用ポリプロピレンフィルム用イージーピールシーラント（製品名「９５０１Ｅ」、東レフィルム加工株式会社製）を準備し、接着剤として、２液硬化型ウレタン樹脂系接着剤を介してドライラミネーターで貼り合わせて積層し、エージング実施後、スリッターで所望の幅にスリットし、層構成、未延伸ポリプロピレンフィルム（５０μｍ）／２液硬化型ウレタン樹脂系接着剤層／ポリアミドフィルム（１５μｍ）／２液硬化型ウレタン樹脂系接着剤層／アルミナ蒸着層／ポリエチレンテレフタレイトフィルム（１２μｍ）／２液硬化型ウレタン樹脂系接着剤層／面々イージーピール兼用ポリプロピレンフィルム用イージーピールシーラント（３０μｍ）の本発明に係る積層フィルム１０を製造した。
（易開封性包装袋１）
上記で得られた積層フィルム１０の巻き取りロールをピロータイプ包装袋の製袋機にセットし、積層シート１０の巻き取りロールから積層シート１０を繰り出し、筒状に湾曲させて、両側縁部のうち、上面フィルム１４のシーラント面と下面フィルム１５の外層側を対向させて端部同士を上面フィルム１４側の折り返し部７ａの近傍で重ね合わされて重ね合わせ部２を形成し、次いで、この重ね合わせ部２が縦シール機２２を通る間にイージーピール部３のシール形状を摘み代６に向けて凸状にヒートシールされて凸状のイージーピール部３を形成し、連続した筒状体を形成した。
次いで、第１横シール機２３および第２横シール機２４を閉じて、筒状体を熱溶着することにより、横シール部４を形成して分離前の包装袋を製造した。
次いで、化粧裁ち刃２５を閉じて分離前の包装袋の下面フィルム１４側の折り返し部７ｂをカットし、開口部８を形成した。
次いで、断裁刃２６を閉じて分離前の包装袋の横シール部４の中間部を二分割して、図４に示すような本発明に係る易開封性包装袋１を製造した。
得られた易開封性包装袋１は、幅１２０ｍｍ、長さ１５５ｍｍ、重ね合わせ長さ８０ｍｍ、上面フィルムの折り返し部７ａの先端から開口部８までの長さ８０ｍｍ、端縁シール部４のシール幅５ｍｍ、重ね合わせ部のシール幅５ｍｍ、摘み代６の長さ２０ｍｍであった。イージーピール部３のシール強度は、１８Ｎ／１５ｍｍであった。
得られた易開封性包装袋１は、内層１３が面々イージーピール性を有するため、端縁シール部４が全てイージーピール性を有すると共に、外層１１が、内層（シーラント層１３）とヒートシールすることによりイージーピール性を有するため、重ね合わせ部２においてもイージーピール部３を有し、内容物を容易に取り出しやすい包装袋であった。
（易開封性包装体２０）
得られた本発明に係る易開封性包装袋１の開口部８から幅８０ｍｍ、長さ１００ｍｍ、厚さ２０ｍｍの、水を含ませた後に軽く絞ったセルローススポンジを１個、収納し、バッチ式真空包装機で真空包装しつつ開口部８をヒートシールして幅５ｍｍの密封シール部５を設け、本発明に係る易開封性包装体２０を得た。
上記で得られた易開封性包装体２０に１２１℃×２０分の水蒸気滅菌を施した。
上記で得られた滅菌済の易開封性包装体２０の密封シール部５を上にした状態で、包装体２０の外側からスポンジを左手で把持し、右手の親指と人差し指で摘み代６を摘んでイージーピール部３から剥離すると共に、上面フィルム側の折り返し部７ａまで端縁シール部４を剥離し、開封片を生じさせることなく、スポンジを落下させることなく、作業者が内容物に直接触れることなく容易に開封することができた。更に、作業者が開封した状態で内容物に触れること無く、他の人に注射器を手渡すことができるため、滅菌済手術器具の入った包装体を看護士が開封し、医師に渡す場合等で衛生面においても優れた効果を発揮できることが分かった。
また、実施例３に係る易開封性包装袋１は、内層同士のシール部が、完全シールとイージーピール性のいずれであっても袋と同じ程度の大きさの内容物であっても、上面フィルム１４と下面フィルム１５との重ね合わせ部２に形成されたイージーピール部３と端縁シール部４ａがイージーピール性であるため、摘み片６から片手で引き剥がして容易に取り出すことができる包装袋であった。
また、実施例３の易開封性包装袋１を構成する積層フィルム１は、ガスバリア性を有するので、内容物として酸化されやすい物品や保存期限が長く、保存中に内容物の水分蒸発を防ぐことが必要な物品等の包装袋として好適に用いることができた。
【実施例４】
【００２７】
（易開封性包装袋１）
実施例３で製造した積層フィルム１０を巻き返し機で表裏逆に巻き直し、層構成、面々イージーピール兼用ポリプロピレンフィルム用イージーピールシーラント（３０μｍ）／２液硬化型ウレタン樹脂系接着剤層／ポリエチレンテレフタレイトフィルム（１２μｍ）／アルミナ蒸着層／２液硬化型ウレタン樹脂系接着剤層／ポリアミドフィルム（１５μｍ）／２液硬化型ウレタン樹脂系接着剤層／未延伸ポリプロピレンフィルム（５０μｍ）の積層フィルム１０の巻き取りロールを用い、これをピロータイプ包装袋の製袋機にセットし、積層シート１０の巻き取りロールから積層シート１０を繰り出し、筒状に湾曲させて、両側縁部のうち、上面フィルム１４のシーラント面と下面フィルム１５の外層側を対向させて端部同士を上面フィルム１４側の折り返し部７ａの近傍で重ね合わされて重ね合わせ部２を形成し、次いで、この重ね合わせ部２が縦シール機２２を通る間にイージーピール部３のシール形状を摘み代６に向けて凸状にヒートシールされて凸状のイージーピール部３を形成し、連続した筒状体を形成した。
次いで、第１横シール機２３および第２横シール機２４を閉じて、筒状体を熱溶着することにより、横シール部４を形成して分離前の包装袋を製造した。
次いで、化粧裁ち刃２５を閉じて分離前の包装袋の下面フィルム１４側の折り返し部７ｂをカットし、開口部８を形成した。
次いで、断裁刃２６を閉じて分離前の包装袋の横シール部４の中間部を二分割して、図４に示すような本発明に係る易開封性包装袋１を製造した。イージーピール部３のシール強度は、１８Ｎ／１５ｍｍであった。
得られた易開封性包装袋１は、内層１３が完全シール性を有するため、重ね合わせ部２以外の端縁シール部４が全て完全シールとなり、また、外層１１が、内層（シーラント層１３）とヒートシールすることにより重ね合わせ部２における端縁シール部４とイージーピール部３とがイージーピール性を有するので、内容物が重い場合でも確実かつ容易にイージーピール部から引き剥がして、内容物を取り出すことができ、内容物の重さに耐えられる包装袋が得られた。
（易開封性包装体２０）
得られた本発明に係る易開封性包装袋１の開口部８から幅８０ｍｍ、長さ１００ｍｍ、厚さ２０ｍｍの、水を含ませた後に軽く絞ったセルローススポンジを１個、収納し、バッチ式真空包装機で真空包装しつつ開口部８をヒートシールして幅５ｍｍの密封シール部５を設け、本発明に係る易開封性包装体２０を得た。
上記で得られた易開封性包装体２０に１２１℃×２０分の水蒸気滅菌を施した。
上記で得られた滅菌済の易開封性包装体２０の密封シール部５を上にした状態で、包装体２０の外側からスポンジを左手で把持し、右手の親指と人差し指で摘み代６を摘んでイージーピール部３から剥離すると共に、上面フィルム側の折り返し部７ａまで端縁シール部４を剥離し、開封片を生じさせることなく、スポンジを落下させることなく、作業者が内容物に直接触れることなく容易に開封することができた。更に、作業者が開封した状態で内容物に触れること無く、他の人に注射器を手渡すことができるため、滅菌済手術器具の入った包装体を看護士が開封し、医師に渡す場合等で衛生面においても優れた効果を発揮できることが分かった。
また、実施例４に係る易開封性包装袋１は、重ね合わせ部２以外の端縁シール部４が全て完全シールであるため、金属製品等の重い内容物に対しても端縁シール部から破袋しにくい包装袋が得られた。
更に、実施例４に係る易開封性包装袋１は、内層同士のシール部が、完全シールとイージーピール性のいずれであっても袋と同じ程度の大きさの内容物であっても、上面フィルム１４と下面フィルム１５との重ね合わせ部２に形成されたイージーピール部３と端縁シール部４ａがイージーピール性であるため、摘み片６から片手で引き剥がして容易に取り出すことができる包装袋であった。
【実施例５】
【００２８】
（積層フィルム１０）
本発明に係る支持基材層１２として、厚み９μｍのアルミニウム箔に、二液硬化型ウレタン樹脂系接着剤を介して、厚み１５μｍのポリアミドフィルム（製品名「Ｎ１２０２」、東洋紡績株式会社製）をドライラミネーターで貼り合わせて積層した積層フィルムを用い、外層１１として、坪量３０ｇ／ｍ2のポリエチレン不織布（製品名「エルベスＳ０３０３ＷＤＯ」、ユニチカ株式会社製）を用い、内層１３として、厚み３０μｍの面々イージーピール兼用ポリエチレンフィルム用イージーピールシーラント（製品名「７６０１ＥＡ」、東レフィルム加工株式会社製）を準備し、アンカーコート剤を塗布しつつ、厚み１５μｍのポリエチレン樹脂層を介して押し出しラミネーターで貼り合わせて積層し、エージング実施後、スリッターで所望の幅にスリットし、層構成、ポリエチレン不織布（坪量３０ｇ／ｍ2）／アンカーコート剤層／ポリエチレン樹脂層（１５μｍ）／ポリアミドフィルム（１５μｍ）／２液硬化型ウレタン樹脂系接着剤層／アルミニウム箔（９μｍ）／アンカーコート剤層／ポリエチレン樹脂層（１５μｍ）／面々イージーピール兼用ポリエチレンフィルム用イージーピールシーラント（３０μｍ）の本発明に係る積層フィルム１０を製造した。
（易開封性包装袋１）
上記で得られた積層フィルム１０の巻き取りロールをピロータイプ包装袋の製袋機にセットし、積層シート１０の巻き取りロールから積層シート１０を繰り出し、筒状に湾曲させて、両側縁部のうち、上面フィルム１４のシーラント面と下面フィルム１５の外層側を対向させて端部同士を上面フィルム１４側の折り返し部７ａの近傍で重ね合わされて重ね合わせ部２を形成し、次いで、この重ね合わせ部２が縦シール機２２を通る間にイージーピール部３のシール形状を摘み代６に向けて凸状にヒートシールされて凸状のイージーピール部３を形成し、連続した筒状体を形成した。
次いで、第１横シール機２３および第２横シール機２４を閉じて、筒状体を熱溶着することにより、横シール部４を形成して分離前の包装袋を製造した。
次いで、化粧裁ち刃２５を閉じて分離前の包装袋の下面フィルム１４側の折り返し部７ｂをカットし、開口部８を形成した。
次いで、断裁刃２６を閉じて分離前の包装袋の横シール部４の中間部を二分割して、図４に示すような本発明に係る易開封性包装袋１を製造した。
得られた易開封性包装袋１は、幅１２０ｍｍ、長さ１５５ｍｍ、重ね合わせ長さ８０ｍｍ、上面フィルムの折り返し部７ａの先端から開口部８までの長さ８０ｍｍ、端縁シール部４のシール幅５ｍｍ、重ね合わせ部のシール幅５ｍｍ、摘み代６の長さ２０ｍｍであった。イージーピール部３のシール強度は、１５Ｎ／１５ｍｍであった。
得られた易開封性包装袋１は、内層１３が面々イージーピール性を有するため、端縁シール部４が全てイージーピール性を有すると共に、外層１１が、内層（シーラント層１３）とヒートシールすることによりイージーピール性を有するため、重ね合わせ部２においてもイージーピール部３を有し、内容物を容易に取り出しやすい包装袋であった。
（易開封性包装体２０）
得られた本発明に係る易開封性包装袋１の開口部８から幅８０ｍｍ、長さ１００ｍｍ、厚さ１５ｍｍの蒲鉾を１本収納し、インパルスシーラーを用いて開口部８をヒートシールして幅５ｍｍの密封シール部５を設け、本発明に係る易開封性包装体２０を得た。
上記で得られた易開封性包装体２０の密封シール部５を上にした状態で、包装体２０の外側から蒲鉾を左手で把持し、右手の親指と人差し指で摘み代６を摘んでイージーピール部３から剥離すると共に、上面フィルム側の折り返し部７ａまで端縁シール部４を剥離し、開封片を生じさせることなく、蒲鉾を落下させることなく、作業者が内容物に直接触れることなく容易に開封することができた。
また、実施例５に係る易開封性包装袋１は、内層同士のシール部が、完全シールとイージーピール性のいずれであっても袋と同じ程度の大きさの内容物であっても、上面フィルム１４と下面フィルム１５との重ね合わせ部２に形成されたイージーピール部３と端縁シール部４ａがイージーピール性であるため、摘み片６から片手で引き剥がして容易に取り出すことができる包装袋であった。
また、実施例５の易開封性包装袋１を構成する積層フィルム１は、ガスバリア性を有するので、内容物として酸化されやすい物品や保存期限が長く、保存中に内容物の水分蒸発を防ぐことが必要な物品等の包装袋として好適に用いることができた。
また、本実施例の積層フィルムで外層１１として用いたポリエチレン不織布は、完全シール用シーラントフィルムとして用いることができるので、本実施例の積層フィルムの表裏を逆にして包装袋を製造したとしても、内層同士のシール部が、完全シールとイージーピール性のいずれであっても袋と同じ程度の大きさの内容物であっても、上面フィルム１４と下面フィルム１５との重ね合わせ部２に形成されたイージーピール部３と端縁シール部４ａがイージーピール性であるため、摘み片６から片手で引き剥がして容易に取り出すことができる包装袋を製造できる。
【実施例６】
【００２９】
（積層フィルム１０）
本発明に係る支持基材層１２として、厚み１２μｍのポリエチレンテレフタレイトフィルム（製品名「Ｅ５２０２」、東洋紡績株式会社製）を用い、外層１１として、坪量４０ｇ／ｍ2の純白ロール紙を用い、内層１３として、厚み３０μｍの面々イージーピール兼用ポリエチレンフィルム用イージーピールシーラント（製品名「７６０１ＥＤ」、東レフィルム加工株式会社製）を準備し、アンカーコート剤を塗布しつつ、厚み１５μｍのポリエチレン樹脂層を介して押し出しラミネーターで貼り合わせて積層し、エージング実施後、スリッターで所望の幅にスリットし、層構成、純白ロール紙（坪量４０ｇ／ｍ2）／アンカーコート剤層／ポリエチレン樹脂層（１５μｍ）／ポリエチレンテレフタレイトフィルム（１２μｍ）／アンカーコート剤層／ポリエチレン樹脂層（１５μｍ）／面々イージーピール兼用ポリエチレンフィルム用イージーピールシーラント（３０μｍ）の本発明に係る積層フィルム１０を製造した。
（易開封性包装袋１）
上記で得られた積層フィルム１０の巻き取りロールをピロータイプ包装袋の製袋機にセットし、積層シート１０の巻き取りロールから積層シート１０を繰り出し、筒状に湾曲させて、両側縁部のうち、上面フィルム１４のシーラント面と下面フィルム１５の外層側を対向させて端部同士を上面フィルム１４側の折り返し部７ａの近傍で重ね合わされて重ね合わせ部２を形成し、次いで、この重ね合わせ部２が縦シール機２２を通る間にイージーピール部３のシール形状を摘み代６に向けて凸状にヒートシールされて凸状のイージーピール部３を形成し、連続した筒状体を形成した。
次いで、第１横シール機２３および第２横シール機２４を閉じて、筒状体を熱溶着することにより、横シール部４を形成して分離前の包装袋を製造した。
次いで、化粧裁ち刃２５を閉じて分離前の包装袋の下面フィルム１４側の折り返し部７ｂをカットし、開口部８を形成した。
次いで、断裁刃２６を閉じて分離前の包装袋の横シール部４の中間部を二分割して、図４に示すような本発明に係る易開封性包装袋１を製造した。  イージーピール部３のシール強度は、１０Ｎ／１５ｍｍであった。
（易開封性包装体２０）
得られた易開封性包装袋１は、幅１２０ｍｍ、長さ１５５ｍｍ、重ね合わせ長さ８０ｍｍ、上面フィルムの折り返し部７ａの先端から開口部８までの長さ８０ｍｍ、端縁シール部４のシール幅５ｍｍ、重ね合わせ部のシール幅５ｍｍ、摘み代６の長さ２０ｍｍであった。得られた易開封性包装袋１は、内層１３が面々イージーピール性を有するため、端縁シール部４が全てイージーピール性を有すると共に、外層１１が、内層（シーラント層１３）とヒートシールすることによりイージーピール性を有するため、重ね合わせ部２においてもイージーピール部３を有し、内容物を容易に取り出しやすい包装袋であった。
得られた本発明に係る易開封性包装袋１の開口部８から幅８０ｍｍ、長さ１００ｍｍ、厚さ１５ｍｍの蒲鉾を１本収納し、インパルスシーラーを用いて開口部８をヒートシールして幅５ｍｍの密封シール部５を設け、本発明に係る易開封性包装体２０を得た。
上記で得られた易開封性包装体２０の密封シール部５を上にした状態で、包装体２０の外側から蒲鉾を左手で把持し、右手の親指と人差し指で摘み代６を摘んでイージーピール部３から剥離すると共に、上面フィルム側の折り返し部７ａまで端縁シール部４を剥離し、開封片を生じさせることなく、蒲鉾を落下させることなく、作業者が内容物に直接触れることなく容易に開封することができた。
また、実施例６に係る易開封性包装袋１は、内層同士のシール部が、完全シールとイージーピール性のいずれであっても袋と同じ程度の大きさの内容物であっても、上面フィルム１４と下面フィルム１５との重ね合わせ部２に形成されたイージーピール部３と端縁シール部４ａがイージーピール性であるため、摘み片６から片手で引き剥がして容易に取り出すことができる包装袋であった。
【実施例７】
【００３０】
（積層フィルム１０）
本発明に係る支持基材層１２として、厚み１２μｍのポリエチレンテレフタレイトフィルム（製品名「Ｅ５２０２」、東洋紡績株式会社製）を用い、外層１１及び内層１３として、厚み３０μｍのヒートシール性エチレン−ビニルアルコール共重合体フィルム（製品名「エバールＨＳ」、クラレトレーディング株式会社製）を準備し、接着剤として、２液硬化型ウレタン樹脂系接着剤を介してドライラミネーターで貼り合わせて積層し、エージング実施後、スリッターで所望の幅にスリットし、層構成、ヒートシール性エチレン−ビニルアルコール共重合体フィルム（３０μｍ）／２液硬化型ウレタン樹脂系接着剤層／ポリエチレンテレフタレイトフィルム（１２μｍ）／２液硬化型ウレタン樹脂系接着剤層／ヒートシール性エチレン−ビニルアルコール共重合体フィルム（３０μｍ）の本発明に係る積層フィルム１０を製造した。
（易開封性包装袋１）
上記で得られた積層フィルム１０の巻き取りロールをピロータイプ包装袋の製袋機にセットし、積層シート１０の巻き取りロールから積層シート１０を繰り出し、筒状に湾曲させて、両側縁部のうち、上面フィルム１４のシーラント面と下面フィルム１５の外層側を対向させて端部同士を上面フィルム１４側の折り返し部７ａの近傍で重ね合わされて重ね合わせ部２を形成し、次いで、この重ね合わせ部２が縦シール機２２を通る間にイージーピール部３のシール形状を摘み代６に向けて凸状にヒートシールされて凸状のイージーピール部３を形成し、連続した筒状体を形成した。
次いで、第１横シール機２３および第２横シール機２４を閉じて、筒状体を熱溶着することにより、横シール部４を形成して分離前の包装袋を製造した。
次いで、化粧裁ち刃２５を閉じて分離前の包装袋の下面フィルム１４側の折り返し部７ｂをカットし、開口部８を形成した。
次いで、断裁刃２６を閉じて分離前の包装袋の横シール部４の中間部を二分割して、図４に示すような本発明に係る易開封性包装袋１を製造した。
得られた易開封性包装袋１は、幅１２０ｍｍ、長さ１５５ｍｍ、重ね合わせ長さ８０ｍｍ、上面フィルムの折り返し部７ａの先端から開口部８までの長さ８０ｍｍ、端縁シール部４のシール幅５ｍｍ、重ね合わせ部のシール幅５ｍｍ、摘み代６の長さ２０ｍｍであった。イージーピール部３のシール強度は、２８Ｎ／１５ｍｍであった。
得られた易開封性包装袋１は、内層１３が面々イージーピール性（シール強度２８Ｎ／１５ｍｍ）を有するため、端縁シール部４が全てイージーピール性を有すると共に、外層１１が、内層（シーラント層１３）とヒートシールすることによりイージーピール性を有するため、重ね合わせ部２においてもイージーピール部３を有し、内容物を容易に取り出しやすい包装袋であった。
（易開封性包装体２０）
得られた本発明に係る易開封性包装袋１の開口部８から幅８０ｍｍ、長さ１００ｍｍ、厚さ１５ｍｍの蒲鉾を１本収納し、インパルスシーラーを用いて開口部８をヒートシールして幅５ｍｍの密封シール部５を設け、本発明に係る易開封性包装体２０を得た。
上記で得られた易開封性包装体２０の密封シール部５を上にした状態で、包装体２０の外側から蒲鉾を左手で把持し、右手の親指と人差し指で摘み代６を摘んでイージーピール部３から剥離すると共に、上面フィルム側の折り返し部７ａまで端縁シール部４を剥離し、開封片を生じさせることなく、蒲鉾を落下させることなく、作業者が内容物に直接触れることなく容易に開封することができた。
また、実施例７に係る易開封性包装袋１は、内層同士のシール部が、完全シールとイージーピール性のいずれであっても袋と同じ程度の大きさの内容物であっても、上面フィルム１４と下面フィルム１５との重ね合わせ部２に形成されたイージーピール部３と端縁シール部４ａがイージーピール性であるため、摘み片６から片手で引き剥がして容易に取り出すことができる包装袋であった。
また、実施例７の易開封性包装袋１を構成する積層フィルム１は、ガスバリア性を有するので、内容物として酸化されやすい物品や保存期限が長く、保存中に内容物の水分蒸発を防ぐことが必要な物品等の包装袋として好適に用いることができた。
【００３１】
（比較例１）
包装袋の端縁シール部４に約２ｍｍのノッチ（開封用切込）を設ける以外は実施例６の包装袋を製造し、内容物として、蒲鉾１本を収納し、インパルスシーラーを用いて開口部８をヒートシールして幅５ｍｍの密封シール部５を設け、比較例１に係る包装体２０を得た。
当該開封用ノッチの下方を左手で把持し、ノッチより上方を右手で持ち、袋を引き裂いて開封したところ、開封片が発生し、包装袋を引き裂く際に内容物に引っ掛かり、内容物を取り出しにくく、無理に開封しようとして、勢い良く開封した際、反動で内容物を落下させる恐れがあった。
【００３２】
シール強度は、ＪＩＳＫ６８５４−３（接着剤のはく離接着強さ試験方法：Ｔ形剥離法）に準拠し、引張り速度３００ｍｍ／分で測定した値である。この最大荷重を１０個以上の試験片に対して求め、その平均値をシール強度とする。
【符号の説明】
【００３３】
１      易開封性包装袋
２      重ね合わせ部
３      イージーピール部（縦シール部）
４      端縁シール部（横シール部）
４ａ    端縁シール部（上面フィルムと下面フィルムの重なり部分）
４ｂ    端縁シール部のシール巾
５      密封シール部
６      摘み代
７ａ    上面フィルム側の折り返し部
７ｂ    下面フィルム側の折り返し部
８      開口部
９      ガセット状折り込み部
１０    積層フィルム
１１    外層（イージーピール性調整層）
１２    支持基材層
１３    内層（シーラント層）
１４    上面フィルム
１５    下面フィルム
２０    易開封性包装体
２１    プレート
２２    縦シール機
２３    第一横シール機
２４    第二横シール機
２５    化粧裁ち刃
２６    断裁刃
３０    ピロー袋製袋機
Ｍ      内容物
【図１】
2013052919.tif 000003
【図２】
2013052919.tif 000004
【図３】
2013052919.tif 000005
【図４】
2013052919.tif 000006
【図５】
2013052919.tif 000007
【図６】
2013052919.tif 000008
【図７】
2013052919.tif 000009
【図８】
2013052919.tif 000010
【図９】
2013052919.tif 000011
【図１０】
2013052919.tif 000012